【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
顔料、分散剤および液体キャリヤーを含む非水性放射線硬化性インクであって、該顔料が、顔料１グラムあたり８ｍｇを超えるＮａＯＨの酸価を有する、前記インク。
【請求項２】
６０℃において１〜３０ｍＰａ．ｓの粘度を有する、請求項１に記載のインク。
【請求項３】
分散剤がポリエステルアミンまたはイミンである、請求項１または２に記載のインク。
【請求項４】
顔料が、５０〜４００ｍ２／ｇのＢＥＴ表面積を有するカーボンブラック顔料である、請求項１〜３のいずれか一項に記載のインク。
【請求項５】
顔料が、５０〜２００ｍＬ／１００ｇのＤＢＰ吸収量を有するカーボンブラック顔料である、請求項１〜４のいずれか一項に記載のインク。
【請求項６】
実質的に溶媒を含まない、請求項１〜５のいずれか一項に記載のインク。
【請求項７】
非水性で、実質的に溶媒を含まず、６０℃において１〜３０ｍＰａ．ｓの粘度を有する、請求項１〜６のいずれか一項に記載の放射線硬化性インクであって、
（ｉ）顔料１グラムあたり１２〜４０ｍｇの範囲のＮａＯＨの酸価、１００〜２５０ｍ２／ｇのＢＥＴ表面積、および８０〜１５０ｍＬ／１００ｇのＤＢＰ吸収量を有する、１種以上の顔料１〜１０％；
（ｉｉ）アミンおよび／またはイミン基を有する１種以上の分散剤０．５〜６％；ならびに
（ｉｉｉ）液体キャリヤーである１００％までの残余分；
を含む、前記放射線硬化性インク、ここにおいて、すべての％は重量に基づき、該液体キャリヤーは、
（ａ）環状トリメチロールプロパンホルマール（メタ）アクリレート、エトキシル化テトラヒドロフルフリル（メタ）アクリレート、フェノキシエチル（メタ）アクリレート、トリメチロールプロパンホルマール（メタ）アクリレート、ラウリル（メタ）アクリレート、ステアリル（メタ）アクリレート、モノメトキシネオペンチルグリコールプロポキシレートモノ（メタ）アクリレート、モノメトキシトリプロピレングリコールモノ（メタ）アクリレート、２−（２−エトキシエトキシ）エチル（メタ）アクリレート、イソ−デシル（メタ）アクリレート、イソ−オクチル（メタ）アクリレート、イソ−ノニル（メタ）アクリレート、トリデシル（メタ）アクリレート、イソ−ボルニル（メタ）アクリレート、エトキシルノニルフェノール（メタ）アクリレート、エトキシル化フェノール（メタ）アクリレート、２−ヒドロキシルエチル（メタ）アクリレート、４−ヒドロキシルブチル（メタ）アクリレート、２−ヒドロキシプロピル（メタ）アクリレート、イソ−ブチル（メタ）アクリレート、ｔｅｒｔ−ブチル（メタ）アクリレート、セチル（メタ）アクリレート、シクロヘキシル（メタ）アクリレート、エチルヘキシル（メタ）アクリレート、２−ジメチルアミノエチル（メタ）アクリレート、トリフルオロエチル（メタ）アクリレート、３−メトキシブチル（メタ）アクリレート、ジシクロペンテニル（メタ）アクリレート、ポリエチレングリコールモノ（メタ）アクリレート、およびポリプロピレングリコールモノ（メタ）アクリレート、ならびにそれらの混合物からなる群より選択される１種以上のモノ（メタ）アクリレート化合物（１種以上）０〜７０部；
（ｂ）１，４−ブタンジオール；１，６−ヘキサンジオール；ネオペンチルグリコール；モノ、ジ、トリおよびポリエチレングリコール；モノ、ジ、トリおよびポリプロピレングリコール；モノメトキシエトキシル化トリメチロールプロパン；プロポキシル化ネオペンチルグリコール；エトキシル化ネオペンチルグリコール；１，２−ブチレングリコール；およびエトキシル化ヘキサンジオール；ならびにそれらの混合物、からなる群より選択される１種以上のジ（メタ）アクリレート化合物（１種以上）５〜９９部；ならびに
（ｃ）トリメチロールプロパントリ（メタ）アクリレート、エトキシル化トリメチロールプロパントリ（メタ）アクリレート、プロポキシル化トリメチロールプロパントリ（メタ）アクリレート、グリセロールトリ（メタ）アクリレート、プロポキシル化グリセロールトリ（メタ）アクリレート、ペンタエリトリトールトリ（メタ）アクリレート、ペンタエリトリトールテトラ（メタ）アクリレート、トリス（２−ヒドロキシエチル）イソシアヌレートトリアクリレート、ジトリメチロールプロパンテトラ（メタ）アクリレート、エトキシル化ペンタエリトリトールテトラ（メタ）アクリレート、エトキシル化ジ−ペンタエリトリトールテトラ（メタ）アクリレート、テトラメチロールメタンテトラ（メタ）アクリレート、多官能性（メタ）アクリレート−ウレタン、（メタ）アクリレート−ポリエステル、および（メタ）アクリレートアクリル樹脂、ならびにそれらの混合物からなる群より選択される、３個以上の（メタ）アクリレート基を有する１種以上の化合物（１種以上）０〜７０部；ならびに
（ｄ）１種以上の光開始剤（１種以上）０．１〜１５部；
の混合物を含み、ここにおいて、すべての部は重量に基づき、部数（ａ）＋（ｂ）＋（ｃ）＋（ｄ）は合計１００になる。
【請求項８】
像を基材上に印刷するための方法であって、請求項１〜７のいずれか一項に記載のインクをインクジェット印刷機により該基材に施用し、該インクを硬化することを含む、前記方法。
【手続補正２】
【補正対象書類名】明細書
【補正対象項目名】００４７
【補正方法】変更
【補正の内容】
【００４７】
上記データは、実施例１のインクが、比較例（Ｃ１、Ｃ２およびＣ３）のどれよりも良好な噴射信頼度を有することを示している。
［本発明の態様］
［１］
顔料、分散剤および液体キャリヤーを含む非水性放射線硬化性インクであって、該顔料が、顔料１グラムあたり８ｍｇを超えるＮａＯＨの酸価を有する、前記インク。
［２］
６０℃において１〜３０ｍＰａ．ｓの粘度を有する、１に記載のインク。
［３］
分散剤がアミンおよび／またはイミン基を含有する、１〜２のいずれか一項に記載のインク。
［４］
分散剤がポリエステルアミンまたはイミンである、１〜３のいずれか一項に記載のインク。
［５］
顔料が、５０〜４００ｍ２／ｇのＢＥＴ表面積を有するカーボンブラック顔料である、１〜４のいずれか一項に記載のインク。
［６］
顔料が、５０〜２００ｍＬ／１００ｇのＤＢＰ吸収量を有するカーボンブラック顔料である、１〜５のいずれか一項に記載のインク。
［７］
顔料が７未満のｐＨを有する、１〜６のいずれか一項に記載のインク。
［８］
顔料が、共有結合的に付着している酸性基を有する、１〜７のいずれか一項に記載のインク。
［９］
実質的に溶媒を含まない、１〜８のいずれか一項に記載のインク。
［１０］
キャリヤーが、１種以上のモノ（メタ）アクリレート化合物と、１種以上のジ（メタ）アクリレート化合物と、３個以上の（メタ）アクリレート基を有する１種以上の化合物とを含む混合物を含む、１〜９のいずれか一項に記載のインク。
［１１］
キャリヤーが、
（ａ）０〜７０部のモノ（メタ）アクリレート化合物（１種以上）；
（ｂ）５〜９９．９部のジ（メタ）アクリレート化合物（１種以上）；
（ｃ）０〜７０部の、３個以上の（メタ）アクリレート基を有する化合物（１種以上）；および
（ｄ）０．１〜１５部の光開始剤（１種以上）；
の混合物を含み、ここにおいて、すべての部は重量に基づき、部数（ａ）＋（ｂ）＋（ｃ）＋（ｄ）は合計１００になる、１〜１０のいずれか一項に記載のインク。
［１２］
インクジェットノズルを詰まらせるであろう粒子を含まない、１〜１１のいずれか一項に記載のインク。
［１３］
非水性で、実質的に溶媒を含まず、６０℃において１〜３０ｍＰａ．ｓの粘度を有する、１〜１２のいずれか一項に記載の放射線硬化性インクであって、
（ｉ）顔料１グラムあたり１２〜４０ｍｇの範囲のＮａＯＨの酸価、１００〜２５０ｍ２／ｇのＢＥＴ表面積、および８０〜１５０ｍＬ／１００ｇのＤＢＰ吸収量を有する、１種以上の顔料１〜１０％；
（ｉｉ）アミンおよび／またはイミン基を有する１種以上の分散剤０．５〜６％；ならびに
（ｉｉｉ）液体キャリヤーである１００％までの残余分；
を含む、前記放射線硬化性インク、ここにおいて、すべての％は重量に基づき、該液体キャリヤーは、
（ａ）環状トリメチロールプロパンホルマール（メタ）アクリレート、エトキシル化テトラヒドロフルフリル（メタ）アクリレート、フェノキシエチル（メタ）アクリレート、トリメチロールプロパンホルマール（メタ）アクリレート、ラウリル（メタ）アクリレート、ステアリル（メタ）アクリレート、モノメトキシネオペンチルグリコールプロポキシレートモノ（メタ）アクリレート、モノメトキシトリプロピレングリコールモノ（メタ）アクリレート、２−（２−エトキシエトキシ）エチル（メタ）アクリレート、イソ−デシル（メタ）アクリレート、イソ−オクチル（メタ）アクリレート、イソ−ノニル（メタ）アクリレート、トリデシル（メタ）アクリレート、イソ−ボルニル（メタ）アクリレート、エトキシルノニルフェノール（メタ）アクリレート、エトキシル化フェノール（メタ）アクリレート、２−ヒドロキシルエチル（メタ）アクリレート、４−ヒドロキシルブチル（メタ）アクリレート、２−ヒドロキシプロピル（メタ）アクリレート、イソ−ブチル（メタ）アクリレート、ｔｅｒｔ−ブチル（メタ）アクリレート、セチル（メタ）アクリレート、シクロヘキシル（メタ）アクリレート、エチルヘキシル（メタ）アクリレート、２−ジメチルアミノエチル（メタ）アクリレート、トリフルオロエチル（メタ）アクリレート、３−メトキシブチル（メタ）アクリレート、ジシクロペンテニル（メタ）アクリレート、ポリエチレングリコールモノ（メタ）アクリレート、およびポリプロピレングリコールモノ（メタ）アクリレート、ならびにそれらの混合物からなる群より選択される１種以上のモノ（メタ）アクリレート化合物（１種以上）０〜７０部；
（ｂ）１，４−ブタンジオール；１，６−ヘキサンジオール；ネオペンチルグリコール；モノ、ジ、トリおよびポリエチレングリコール；モノ、ジ、トリおよびポリプロピレングリコール；モノメトキシエトキシル化トリメチロールプロパン；プロポキシル化ネオペンチルグリコール；エトキシル化ネオペンチルグリコール；１，２−ブチレングリコール；およびエトキシル化ヘキサンジオール；ならびにそれらの混合物、からなる群より選択される１種以上のジ（メタ）アクリレート化合物（１種以上）５〜９９部；ならびに
（ｃ）トリメチロールプロパントリ（メタ）アクリレート、エトキシル化トリメチロールプロパントリ（メタ）アクリレート、プロポキシル化トリメチロールプロパントリ（メタ）アクリレート、グリセロールトリ（メタ）アクリレート、プロポキシル化グリセロールトリ（メタ）アクリレート、ペンタエリトリトールトリ（メタ）アクリレート、ペンタエリトリトールテトラ（メタ）アクリレート、トリス（２−ヒドロキシエチル）イソシアヌレートトリアクリレート、ジトリメチロールプロパンテトラ（メタ）アクリレート、エトキシル化ペンタエリトリトールテトラ（メタ）アクリレート、エトキシル化ジ−ペンタエリトリトールテトラ（メタ）アクリレート、テトラメチロールメタンテトラ（メタ）アクリレート、多官能性（メタ）アクリレート−ウレタン、（メタ）アクリレート−ポリエステル、および（メタ）アクリレートアクリル樹脂、ならびにそれらの混合物からなる群より選択される、３個以上の（メタ）アクリレート基を有する１種以上の化合物（１種以上）０〜７０部；ならびに
（ｄ）１種以上の光開始剤（１種以上）０．１〜１５部；
の混合物を含み、ここにおいて、すべての部は重量に基づき、部数（ａ）＋（ｂ）＋（ｃ）＋（ｄ）は合計１００になる。
［１４］
成分（ａ）が１０〜６０部の量で存在し、成分（ｂ）が１０〜８５部の量で存在し、成分（ｃ）が５〜５０部の量で存在する、１３に記載のインク。
［１５］
像を基材上に印刷するための方法であって、１〜１４のいずれか一項に記載のインクをインクジェット印刷機により該基材に施用し、該インクを硬化することを含む、前記方法。
［１６］
１５の方法により得られる、印刷された金属、プラスチック、セラミック、ガラス、木材または紙基材。
［１７］
チャンバーとインクを含むインクジェット印刷機用カートリッジであって、該インクが、該チャンバー内に存在し、１〜１４のいずれか一項で定義されるようなものである、前記インクジェット印刷機用カートリッジ。